(57)【要約】      （修正有）【課題】商品や陳列ケース等に吊下げるように貼付させて立体的な表示が行えるようにしたアイキャッチ性の高い吊下げ立体ラベルを、１枚のラベル基材によって簡単に組み立てることができるようにする。【解決手段】被貼付物１に貼付させる粘着剤層１１ａが設けられた貼付部１１と、この貼付部から延設された吊下げ部１２と、この吊下げ部の先端部に設けられる立体表示部１３とを１枚のラベル基材で構成し、上記の立体表示部を立体的に曲げ又は折り曲げて係止させるようにした。【選択図】図４
0003133209.tif 000002
【実用新案登録請求の範囲】
【請求項１】
被貼付物に貼付させる粘着剤層が設けられた貼付部と、この貼付部から延設された吊下げ部と、この吊下げ部の先端部に設けられる立体表示部とが１枚のラベル基材で構成され、上記の立体表示部が立体的に曲げられ又は折り曲げられて係止されることを特徴とする吊下げ立体ラベル。
【請求項２】
請求項１に記載の吊下げ立体ラベルにおいて、上記の粘着剤層により貼付部を被貼付物に貼付させた状態で、上記の吊下げ部が折り返し状になって立体表示部が吊下げられることを特徴とする吊下げ立体ラベル。
【請求項３】
請求項１又は請求項２に記載の吊下げ立体ラベルにおいて、上記の立体表示部を立体的に曲げ又は折り曲げて係止させるにあたり、立体表示部に粘着部を設けたことを特徴とする吊下げ立体ラベル。
【考案の詳細な説明】
【技術分野】
【０００１】
この考案は、商品や陳列ケース等に貼付するラベルに係り、特に、商品や陳列ケース等に吊下げるように貼付させて立体的な表示が行えるようにしたアイキャッチ性の高い吊下げ立体ラベルに関するものである。
【背景技術】
【０００２】
従来から、商品の名称、特徴、使用方法、製造者、製造日等の各種情報を表示するために、商品や商品を陳列した陳列ケース等にラベルを貼付することが行われている。
【０００３】
しかし、従来のラベルにおいては、一般にこれらの情報をラベル表面に平面的に表示させるようにしているだけであるため、アイキャッチ性が低く、顧客の注意を十分に喚起して、商品に関する情報等を効果的に伝達させる機能が弱いという問題があった。
【０００４】
このため、近年においては、特許文献１に示されるように、裏面に粘着剤を塗布した基部シートの表面に、一部で不連続な切り込みによって立体表示部を区画形成した表示シートを、立体表示部を離反可能にする一方、立体表示部が形成されている部分を残して、立体表示部の外側部分を剥離困難に接着させ、上記の立体表示部を基部シートから離反させて起立状態を維持させるようにした立体式ラベルが提案されている。
【０００５】
また、特許文献２に示されるように、ラベル貼着固定部と、この固定部から延設されたテープ状揺動アーム部と、このアーム部の先端に設けられた揺動ヘッド部とからなるスイングラベルが提案されている。
【０００６】
しかし、上記の特許文献１に示される立体式ラベルの場合、基部シートと表示シートとの２枚のシートが必要になると共に、表示シートの立体表示部の部分を残して、立体表示部の外側部分を基部シートに接着させることが必要になり、その製造が面倒であると共に、コストも高くつくという問題があった。
【０００７】
また、上記の特許文献２に示されるスイングラベルの場合には、表示部分が平面であるため、アイキャッチ性を十分に高めることができず、依然として、顧客の注意を十分に喚起して、商品に関する情報等を効果的に伝達させる機能が弱いという問題があった。
【特許文献１】特開２００４−１１７６３８号公報
【特許文献２】特開２００５−１５７１９３号公報
【考案の開示】
【考案が解決しようとする課題】
【０００８】
この考案は、ラベルにおける上記のような様々な問題を解決することを課題とするものであり、特に、商品や陳列ケース等に吊下げるように貼付させて立体的な表示が行えるようにしたアイキャッチ性の高い吊下げ立体ラベルを、１枚のラベル基材によって簡単に組み立てることができるようにすることを課題とするものである。
【課題を解決するための手段】
【０００９】
この考案における吊下げ立体ラベルにおいては、上記のような課題を解決するため、被貼付物に貼付させる粘着剤層が設けられた貼付部と、この貼付部から延設された吊下げ部と、この吊下げ部の先端部に設けられる立体表示部とを１枚のラベル基材で構成し、上記の立体表示部を立体的に曲げ又は折り曲げて係止させるようにしている。
【００１０】
ここで、この吊下げ立体ラベルにおいて、上記の粘着剤層により貼付部を被貼付物に貼付させた状態で、上記の吊下げ部が折り返し状になって立体表示部が吊下げられるようにすることが好ましい。なお、ここで折り返し状とは、上記の貼付部を被貼付物に貼付させた場合に、吊下げ部が反り返って貼付部の貼付側の面と同じ側の面が前面側に現れる状態を意味している。
【００１１】
また、この吊下げ立体ラベルにおいて、上記の立体表示部を立体的に曲げ又は折り曲げて係止させるにあたっては、粘着部や切込み等を設け、この粘着部や切込み等により、立体表示部を立体的に曲げ又は折り曲げて係止させるようにすることができる。
【考案の効果】
【００１２】
この考案の吊下げ立体ラベルにおいては、上記のように被貼付物に貼付させる粘着剤層が設けられた貼付部と、この貼付部から延設された吊下げ部と、この吊下げ部の先端部に設けられる立体表示部とを１枚のラベル基材で構成するようにしたため、基部シートと表示シートとの２枚のシートを用いる従来の立体式ラベルに比べて、そのコストを低減させることができる。
【００１３】
そして、この考案の吊下げ立体ラベルにおいては、上記のように粘着剤層が設けられた貼付部を被貼付物に貼付させ、この貼付部から延設された吊下げ部の先端部に立体表示部を設けたため、周囲の空気の流れや振動により、吊下げ部の先端部に設けられた上記の立体表示部が揺動し、アイキャッチ性が高まり、顧客の注意が十分に喚起されるようになる。
【００１４】
また、この吊下げ立体ラベルにおいて、上記の粘着剤層により貼付部を被貼付物に貼付させた状態で、上記の吊下げ部が折り返し状になって立体表示部が吊下げられるようにすると、上記の立体表示部が複雑に揺動するようになって、アイキャッチ性がさらに高まり、顧客の注意をさらに喚起させることができるようになる。
【考案を実施するための最良の形態】
【００１５】
以下、この考案の実施形態に係る吊下げ立体ラベルを添付図面に基づいて具体的に説明する。なお、この考案に係る吊下げ立体ラベルは、下記の実施形態に示したものに限定されるものではなく、その要旨を変更しない範囲において適宜変更して実施できるものである。
【００１６】
（実施形態１）
実施形態１における吊下げ立体ラベルＡ１においては、１枚の透明なラベル基材１０を図１に示すように切断し、表面側に粘着剤層１１ａが設けられた長方形状の貼付部１１から帯状の吊下げ部１２を延設させ、この吊下げ部１２の適当な位置に円弧状に膨出された膨出部１２ａを設けると共に、この吊下げ部１２の先端部に円形状に曲げて立体的に形成される立体表示部１３を設けている。
【００１７】
そして、この実施形態における吊下げ立体ラベルＡ１においては、上記の立体表示部１３として、上記の吊下げ部１２と連続するようにして下方に延出された基部１３ｚから側方に延出された複数の短冊部１３ａを設け、各短冊部１３ａの先端部の表面側に粘着部１３ｂを設けている。
【００１８】
ここで、この吊下げ立体ラベルＡ１においては、上記の吊下げ部１２や立体表示部１３の適当な位置に、ラベル基材１０の表面又は裏面から所望の印刷を行うようにし、例えば、上記の吊下げ部１２の膨出部１２ａに商品の香りを表わす文字（図示せず）や、上記の立体表示部１３にキャッチフレーズ（図示せず）等を適当な色彩と合わせて印刷させるようにする。
【００１９】
そして、この吊下げ立体ラベルＡ１において、立体表示部１３を形成するにあたっては、図２及び図３に示すように、上記のように櫛歯状に延出された複数の短冊部１３ａをそれぞれ円形状に曲げて、各短冊部１３ａの先端部に設けられた上記の粘着部１３ｂを上記の基部１３ｚの裏面側に接着させて係止させ、複数のリング状になった立体表示部１３を設けるようにする。
【００２０】
そして、この吊下げ立体ラベルＡ１を商品等の被貼付物１に貼付させるにあたり、図４及び図５に示すように、上記の貼付部１１に設けられた粘着剤層１１ａを被貼付物１に貼付させると、上記の吊下げ部１２が折り返し状になって立体表示部１３が吊下げられるようになる。
【００２１】
このようにして吊下げ立体ラベルＡ１を被貼付物１に貼付させると、前記のように周囲の空気の流れや振動により、吊下げ部１２の先端部に設けられた上記の立体表示部１３が複雑に揺動して、高いアイキャッチ性が得られるようになる。
【００２２】
なお、この実施形態においては、短冊部１３ａの先端部の表面側に粘着部１３ｂを設け、この短冊部１３ａの円形状に曲げて、この短冊部１３ａの先端部における粘着部１３ｂを基部１３ｚの裏面側に接着させるようにしたが、短冊部１３ａを円形状に曲げて基部１３ｚに接着させる方法はこのようなものに限定されない。例えば、図示していないが、上記の基部１３ｚの表面側の適当な位置に粘着部を設け、上記の短冊部１３ａを円形状に曲げて、この短冊部１３ａの先端部を基部１３ｚの表面側に設けた粘着部に接着させることも可能である。
【００２３】
（実施形態２）
実施形態２における吊下げ立体ラベルＡ２においては、１枚の透明なラベル基材１０を図６に示すように切断し、表面側に粘着剤層１１ａが設けられた長方形状の貼付部１１から帯状の吊下げ部１２を延設させると共に、この吊下げ部１２の先端部に、折り曲げられて立体的に形成される立体表示部１３を設けている。
【００２４】
ここで、この実施形態における吊下げ立体ラベルＡ２においては、上記の立体表示部１３として、一方が長く他方が短くなるようにして両側に突出された側方突出部１３ｃを設け、この側方突出部１３ｃの長辺側の端部の表面側に粘着部１３ｂを設けると共に、この長辺側の側方突出部１３ｃの中央部に、上方に突出した一対の腕状突出部１３ｄとこの一対の腕状突出部１３ｄ間における中央突出部１３ｅを設け、さらに上記の側方突出部１３ｃから下方に向けて先端部が顔状になった下方突出部１３ｆを設けている。
【００２５】
また、上記の側方突出部１３ｃに設けられた粘着部１３ｂとの境界部分や、上記の腕状突出部１３ｄや、上記の下方突出部１３ｆの適当な位置にそれぞれ折り曲げ用の折り目線１３ｇを設けている。
【００２６】
そして、この実施形態における吊下げ立体ラベルＡ２においても、上記の吊下げ部１２や立体表示部１３の適当な位置に、ラベル基材１０の表面又は裏面から所望の印刷を行うようにし、例えば、上記の下方突出部１３ｆの先端部における顔状の部分に顔の絵を、また腕状突出部１３ｄに手の絵（図示せず）を、上記の中央突出部１３ｅに石鹸の絵（図示せず）等を適当な色彩と合わせて印刷させるようにする。
【００２７】
そして、この実施形態における吊下げ立体ラベルＡ２において、立体表示部１３を形成するにあたっては、図７及び図８に示すように、上記の下方突出部１３ｆに設けられた各折り目線１３ｇの位置において、この下方突出部１３ｆを裏面側に折り返すように折り曲げ、このように折り返された下方突出部１３ｆの前面側を覆うようにして、上記の長辺側の側方突出部１３ｃを裏面側に円弧状に折り曲げると共に、上記の腕状突出部１３ｄに設けられた折り目線１３ｇの位置において、この腕状突出部１３ｄを鉤型状に折り曲げるようにする。さらに、上記の長辺側の側方突出部１３ｃの端部に設けられた粘着部１３ｂとの境界部分における折り目線１３ｇの位置において、この長辺側の側方突出部１３ｃを折り曲げて、上記の粘着部１３ｂを短辺側の側方突出部１３ｃの裏面側に接着させて係止させるようにする。
【００２８】
このようにすると、上記のラベル基材１０の裏面側であって、吊下げ立体ラベルＡ２の正面側において、下方突出部１３ｆの先端部に描かれた顔を上記の腕状突出部１３ｄにおける手で洗浄している状態になった立体表示部１３が形成されるようになる。
【００２９】
そして、この吊下げ立体ラベルＡ２を商品等の被貼付物１に貼付させるにあたっては、上記の貼付部１１に設けられた粘着剤層１１ａを被貼付物１に貼付させるようにする。この場合、上記の吊下げ部１２が折り返し状態にならずに、貼付部１１から吊下げ部１２がそのまま下方に延出された状態で立体表示部１３が吊下げられるようになる。
【００３０】
なお、この実施形態の吊下げ立体ラベルＡ２においても、さらに高いアイキャッチ性が得られるようにするため、上記のラベル基材１０における貼付部１１の裏面側に粘着剤層１１ａを設け、図９に示すように、上記の吊下げ部１２が折り返し状になって立体表示部１３が吊下げられるようにすることも可能である。
【００３１】
また、この実施形態においては、上記の側方突出部１３ｃの長辺側の端部に粘着部１３ｂを設け、この長辺側の側方突出部１３ｃを裏面側に円弧状に折り曲げて、粘着部１３ｂが設けられた側方突出部１３ｃの長辺側の端部を短辺側の側方突出部１３ｃの裏面側に接着させるようにしたが、側方突出部１３ｃの長辺側の端部を短辺側の側方突出部１３ｃに接着させる方法はこのようなものに限定されない。例えば、図示していないが、短辺側の側方突出部１３ｃの表面側に粘着部を設け、上記の長辺側の側方突出部１３ｃを円弧状に折り曲げて、この長辺側の側方突出部１３ｃの先端部を、粘着部が設けられた短辺側の側方突出部１３ｃの表面側に接着させることも可能である。
【００３２】
（実施形態３）
実施形態３における吊下げ立体ラベルＡ３においては、１枚の透明なラベル基材１０を図１１に示すように切断し、表面側に粘着剤層１１ａが設けられた長方形状の貼付部１１から帯状の吊下げ部１２を延設させると共に、この吊下げ部１２の先端部に、折り曲げられて立体的に形成される立体表示部１３を設けるようにしている。
【００３３】
ここで、この実施形態における吊下げ立体ラベルＡ３においては、上記の立体表示部１３として、上記の吊下げ部１２から下方に伸びた長方形状の立体形成部１３ｈを設け、この立体形成部１３ｈの長辺方向の適当な位置に短辺方向に沿った折り曲げ用の折り目線１３ｇを複数（図に示す例では４つ）設けると共に、最上位に位置する折り目線１３ｇの上部に短辺方向に沿った粘着部１３ｂを設け、さらに上から３番目の折り目線１３ｇの上部に上記の貼付部１１を挿通させるためのスリット１３ｉを設けている。
【００３４】
また、この実施形態における吊下げ立体ラベルＡ３においても、上記の吊下げ部１２や立体表示部１３の適当な位置に、ラベル基材１０の表面又は裏面から所望の印刷を行うようにする。
【００３５】
そして、この実施形態における吊下げ立体ラベルＡ３において、立体表示部１３を形成するにあたっては、図１１及び図１２に示すように、上記の貼付部１１及び吊下げ部１２を、上記の立体形成部１３ｈに設けられたスリット１３ｉを通して、立体形成部１３ｈの裏面側から表面側に導き出すと共に、立体形成部１３ｈに設けられた各折り目線１３ｇにおいて立体形成部１３ｈを折り曲げて、この立体形成部１３ｈを多角筒状に形成し、このように折り曲げた立体形成部１３ｈの端部を上記の粘着部１３ｂに接着させて係止させるようにする。
【００３６】
そして、この吊下げ立体ラベルＡ３における上記の貼付部１１に設けられた粘着剤層１１ａを被貼付物１に貼付させると、上記の吊下げ部１２が折り返し状になって立体表示部１３が吊下げられるようになる。この場合、上記の立体形成部１３ｈが折り曲げられて２重構造になった部分が立体表示部１３の正面側に位置するようになり、この２重構造になったそれぞれの面に印刷された模様等が立体表示部１３の正面側に現れると共に、この２重構造になったそれぞれの面が個別に揺動することになって、非常に高いアイキャッチ性が得られるようになる。
【００３７】
ここで、上記の各実施形態における吊下げ立体ラベルＡ１〜Ａ３において、貼付部１１に粘着剤層１１ａを設けたり、立体表示部１３に粘着部１３ｂを設けたりするにあたっては、図１３に示すように、ラベル基材１０の適当な位置に粘着剤１０ａを塗布させるようにする他、図１４に示すように、予め片面全面に粘着剤１０ａが塗布されたラベル基材１０を用い、このラベル基材１０の適当な位置における粘着剤１０ａだけを残すようにして、上記の粘着剤１０ａの上に粘着抑制剤１０ｂを塗布させるようにすることができる。なお、図１３に示すように、ラベル基材１０の適当な位置に粘着剤１０ａを塗布させる場合には、ラベル基材１０の表面や裏面に適当な印刷を行った後、粘着剤１０ａを塗布させることができるが、図１４に示すように、予め片面全面に粘着剤１０ａが塗布されたラベル基材１０を用いる場合には、粘着剤１０ａが塗布されていないラベル基材１０の面に印刷を行うようにする。
【００３８】
また、上記の各実施形態における吊下げ立体ラベルＡ１〜Ａ３においては、立体表示部１３を立体的に曲げ又は折り曲げて係止させるにあたり、立体表示部１３に粘着部１３ｂを設けるようにしたが、立体表示部１３を立体的に折り曲げて係止させる方法はこのようなものに限定されず、例えば、立体表示部１３に切込み（図示せず）等を設けて、立体的に折り曲げた立体表示部１３を係止させることも可能である。
【００３９】
また、上記の各実施形態における吊下げ立体ラベルＡ１〜Ａ３においては、ラベル基材１０として透明なシートを用いるようにしたが、ラベル基材１０に透明でないシートや紙等を用いることも可能である。
【図面の簡単な説明】
【００４０】
【図１】この考案の実施形態１に係る吊下げ立体ラベルにおいて、立体表示部を立体的に形成する前の概略平面図である。
【図２】上記の実施形態１に係る吊下げ立体ラベルの概略正面図である。
【図３】上記の実施形態１に係る吊下げ立体ラベルの概略側面図である。
【図４】上記の実施形態１に係る吊下げ立体ラベルを被貼付体に貼付させた状態を示した概略側面図である。
【図５】上記の実施形態１に係る吊下げ立体ラベルを被貼付体に貼付させた状態を示した概略平面図である。
【図６】この考案の実施形態２に係る吊下げ立体ラベルにおいて、立体表示部を立体的に形成する前の概略平面図である。
【図７】上記の実施形態２に係る吊下げ立体ラベルを被貼付体に貼付させた状態を示した概略正面図である。
【図８】上記の実施形態２に係る吊下げ立体ラベルを被貼付体に貼付させた状態を示した概略側面図である。
【図９】上記の実施形態２に係る吊下げ立体ラベルにおいて、吊下げ部を折り返し状にして立体表示部を吊下げるようにした変更例の概略側面図である。
【図１０】この考案の実施形態３に係る吊下げ立体ラベルにおいて、立体表示部を立体的に形成する前の概略平面図である。
【図１１】上記の実施形態３に係る吊下げ立体ラベルを被貼付体に貼付させた状態を示した概略正面図である。
【図１２】上記の実施形態３に係る吊下げ立体ラベルを被貼付体に貼付させた状態を示した概略側面図である。
【図１３】この考案の実施形態に係る吊下げ立体ラベルにおいて、ラベル基材の適当な位置に粘着剤を塗布した例を示した部分説明図である。
【図１４】この考案の実施形態に係る吊下げ立体ラベルにおいて、片面全面に粘着剤が塗布されたラベル基材の適当な位置における粘着剤だけを残すようにして、粘着剤の上に粘着抑制剤を塗布した例を示した部分説明図である。
【符号の説明】
【００４１】
１  被貼付体
Ａ１，Ａ２，Ａ３  吊下げ立体ラベル
１０  ラベル基材
１０ａ  粘着剤
１０ｂ  粘着抑制剤
１１  貼付部
１１ａ  粘着剤層
１２  吊下げ部
１２ａ  膨出部
１３  立体表示部
１３ａ  短冊部
１３ｂ  粘着部
１３ｃ  側方突出部
１３ｄ  腕状突出部
１３ｅ  中央突出部
１３ｆ  下方突出部
１３ｇ  折り目線
１３ｈ  立体形成部
１３ｉ  スリット
１３ｚ  基部
【図１】
0003133209.tif 000003
【図２】
0003133209.tif 000004
【図３】
0003133209.tif 000005
【図４】
0003133209.tif 000006
【図５】
0003133209.tif 000007
【図６】
0003133209.tif 000008
【図７】
0003133209.tif 000009
【図８】
0003133209.tif 000010
【図９】
0003133209.tif 000011
【図１０】
0003133209.tif 000012
【図１１】
0003133209.tif 000013
【図１２】
0003133209.tif 000014
【図１３】
0003133209.tif 000015
【図１４】
0003133209.tif 000016